(57)【要約】【課題】複数の親骨の一部が径方向に長く形成された傘において、下ろくろの上下動に連動して延長骨を回動できるようにする。【解決手段】一部の親骨３が径方向に長く形成された傘１において、一部の親骨３に対して、支持骨６に連結されて支持骨６の回動により径方向に沿って出退する連動部材２２と、親骨３の先端側に枢着されて連動部材２２の出退動により親骨３の先端側を中心に回動する回動部材２３と、回動部材２３と一体回動可能とされた延長骨２４とを設ける。【選択図】図２
0003134045.tif 000002
【実用新案登録請求の範囲】
【請求項１】
軸柄の上端側に固定された上ろくろと、この上ろくろより下方の軸柄に上下移動自在に取り付けられた下ろくろと、前記上ろくろに基端側を枢着されて先端側が軸柄を中心に径方向に伸びる複数の親骨と、前記親骨の中途部に回動自在に連結されて当該親骨を支持する支持骨と、前記親骨に沿って張られた傘布とを有し、複数の親骨のうち一部の親骨が径方向に長く形成された傘であって、
一部の前記親骨は、前記支持骨に連結されて当該支持骨の回動により径方向に沿って出退する連動部材と、
前記親骨の先端側に枢着されて前記連動部材の出退動により親骨の先端側を中心に回動する回動部材と、
前記回動部材と一体回動可能とされた延長骨と、
を有することを特徴とする傘。
【請求項２】
前記延長骨が設けられた親骨が軸柄を中心として周方向に互いに隣接するように３本備えられていることを特徴とする請求項１に記載の傘。
【請求項３】
前記延長骨が設けられた３本の親骨のうち中央の親骨は、他の親骨より径方向に長く形成された延長骨を有しており、この延長骨に径方向に対して蛇行した衝撃緩和部が設けられていることを特徴とする請求項２に記載の傘。
【請求項４】
前記回動部材は、前記延長骨が基端側に向かって回動した際の先端側に、雨水を誘導可能な露先カバーを有していることを特徴とする請求項１〜３のいずれか１項に記載の傘。
【考案の詳細な説明】
【技術分野】
【０００１】
本考案は、親骨の一部が軸柄を中心として径方向に長く形成された傘に関するものである。
【背景技術】
【０００２】
従来の傘は、ほぼ同じ長さとされた親骨が軸柄（上ろくろ）を中心として径方向に放射状に開くようになっている。このような傘をからだの前方でさすと、からだの前側をカバーする面積に比べて後側をカバーする面積が小さくなる。その結果、からだの後側に雨が吹き込みやすく、また背負った荷物が濡れるなどの不具合があった。
そこで、特許文献１〜３に示すように、からだの後側を十分にカバーできるように傘布が軸柄を中心に卵形や楕円形に開く傘が知られている。
【特許文献１】特開２００６−１５１２４号公報
【特許文献２】特開２００６−１１６２５７号公報
【特許文献３】特開２００６−５２１８５０号公報
【考案の開示】
【考案が解決しようとする課題】
【０００３】
特許文献１〜３の傘においては、複数設けられた親骨のうち一部の親骨が、他の親骨より径方向に長く形成されている。このような傘を折り畳むためには、親骨の中でも最も長い親骨に合わせて軸柄を通常より長くする必要がある。その結果、特許文献１〜３の傘は折り畳み時のコンパクトさに欠けるという問題を有していた。
一方、長く形成したい親骨に径方向の長さを他の親骨より延長する延長骨を設けることもできる。しかし、延長骨を親骨の先端に設けると、傘の開閉に合わせて延長骨を手動で折り畳むことが必要となり、傘としての利便性が大きく損なわれる。
【０００４】
本考案は、このような問題に鑑みて為されたものであって、一部の親骨が径方向に長く形成された傘において、下ろくろの上下動に連動して、延長骨を親骨の先端から径方向に沿って伸びる方向と軸柄側に向けて折り畳まれる方向とに切り替え自在に回動させることができ、親骨を揃えてコンパクトに折り畳めるものでありながら開閉操作が容易となる傘を提供することを目的とする。
【課題を解決するための手段】
【０００５】
前記目的を達成するため、本考案は次の技術的手段を講じている。
即ち、本考案の傘は、軸柄の上端側に固定された上ろくろと、この上ろくろより下方の軸柄に上下移動自在に取り付けられた下ろくろと、前記上ろくろに基端側を枢着されて先端側が軸柄を中心に径方向に伸びる複数の親骨と、前記親骨の中途部に回動自在に連結されて当該親骨を支持する支持骨と、前記親骨に沿って張られた傘布とを有し、複数の親骨のうち一部の親骨が径方向に長く形成された傘であって、
一部の前記親骨は、前記支持骨に連結されて当該支持骨の回動により径方向に沿って出退する連動部材と、
前記親骨の先端側に枢着されて前記連動部材の出退動により親骨の先端側を中心に回動する回動部材と、
前記回動部材と一体回動可能とされた延長骨とを有することを特徴とする。
【０００６】
これによって、下ろくろの上下動に連動して、延長骨を親骨の先端から径方向に沿って伸びる方向と軸柄側に向けて折り畳まれる方向とに切り替え自在に回動させることができ、親骨を揃えてコンパクトに折り畳めるものでありながら開閉操作が容易となる。
本考案の傘は、前記延長骨が設けられた親骨が軸柄を中心として周方向に互いに隣接するように３本備えられていても良い。
これによって、複数の親骨のうち一部の親骨だけを径方向に長くでき、卵形や楕円形状に開いてからだの後側をカバーすることが可能となる。
【０００７】
本考案の傘は、前記延長骨が設けられた３本の親骨のうち中央の親骨は、他の親骨より径方向に長く形成された延長骨を有しており、この延長骨に径方向に対して蛇行した衝撃緩和部が設けられているのが良い。
これによって、傘を折り畳む際に傘布から延長骨に働く張力を吸収し、スムーズに延長骨を回動させることが可能となる。
前記回動部材は、前記延長骨が基端側に向かって回動した際の先端側に、雨水を誘導可能な露先カバーを有しているのが好ましい。
【０００８】
これによって、延長骨が基端側に向かって回動した際にも、雨水を傘の先端に導いて良好な排水性を得ることができる。
【考案の効果】
【０００９】
本考案の傘によれば、一部の親骨に径方向の長さを延長する延長骨が設けられた傘において、下ろくろの上下動に連動して、延長骨を親骨の先端から径方向に沿って伸びる方向と軸柄側に向けて折り畳まれる方向とに切り替え自在に回動させることができ、親骨を揃えてコンパクトに折り畳めるものでありながら開閉操作が容易となる。
【考案を実施するための最良の形態】
【００１０】
以下、本考案に係る傘の実施の形態を説明する。
なお、以降の説明において、親骨３の軸柄２の中心に近い側を基端側、遠い側を先端側とする。また、基端側から先端側に向かう方向を径方向と言い、軸柄２の周りを周方向という。
図１〜図３に示すように、本考案の傘１は、上下に長い軸柄２と、軸柄２の上端に固定された上ろくろ４と、この上ろくろ４より下方の軸柄２に上下移動自在に取り付けられた下ろくろ５と、上ろくろ４に基端側を枢着されて先端側が軸柄２を中心に径方向に伸びる複数の親骨３と、親骨３の中途部に回動自在に連結されて親骨３を支持する支持骨６と、親骨３に沿って張られた傘布７とを有している。
【００１１】
軸柄２は金属製、木製、または合成樹脂製の棒材である。軸柄２の上端側には石突き８が配備されており、下端側には手元部９が嵌着されている。手元部９は、手で握りやすく取っ手などにも掛けやすいようにＵ字状に曲げられている。軸柄２の互いに離れた上下の２カ所には下ろくろ５を軸柄２の上下位置にそれぞれ固定する上はじき１０と下はじき１１とが設けられている。
上ろくろ４は円筒状に形成されており、中央部を軸柄２が上下方向に貫通している。上ろくろ４は、軸柄２の上端に固定されており、外周面には親骨３が複数枢着されている。なお、本実施形態においては親骨３は上ろくろ４の外周面に８本設けられている。
【００１２】
下ろくろ５は上ろくろ４と同様に円筒状に形成されており、円筒の中央部を軸柄２が上下方向に貫通している。下ろくろ５は上ろくろ４より下方に設けられており、軸柄２に沿って上下移動自在とされている。
下ろくろ５は、上部材１２と、上部材１２より下方に距離をあけて設けられる下部材１３と、上部材１２と下部材１３とを上下方向に近接離反自在に連結するバネ１４とを有している。上部材１２の外周面には支持骨６が枢着されており、下部材１３の外周面には子骨１５が枢着されている。支持骨６及び子骨１５はそれぞれ親骨３と同数設けられており、子骨１５の先端側は支持骨６の中途側に枢着されている。
【００１３】
下ろくろ５においては、上部材１２と下部材１３とがバネ１４により互いが離反しあう方向に付勢されており、下部材１３には上部材１２に対して下方に離れる方向に力が作用している。下ろくろ５を軸柄２の上方に固定する上はじき１０がない場合には、バネ１４の付勢力により上部材１２と下部材１３とが互いに上下に離間し、子骨１５及び支持骨６が軸柄２に沿って倒れ込んで下ろくろ５が下方に移動する。
図１にあるように、親骨３は、基端側が上ろくろ４に枢着されており、先端側が上ろくろ４を中心として放射状に伸びるように設けられている。親骨３の先端側には先端側の露先カバー１６が取り付けられており、上方には傘布７が張設されている。また、親骨３の中途側には枢着部材１８が取り付けられており、枢着部材１８には支持骨６の先端側が枢着されている。
【００１４】
親骨３は、上ろくろ４を中心として隣り合った親骨３が軸柄２を中心として等しい角度（本実施形態では９０°）を為すように、軸柄２の周りに８本配置されている。これら８本の親骨３のうち３本の親骨３（図１の右側に設けられた３本の親骨３）は径方向の長さが長く形成されている。
親骨３は、径方向の長さが延長されていない通常長さの親骨１９と、３本の親骨３の真ん中に設けられて最も径方向の長さが長い第１親骨２０と、通常長さの親骨１９と接すると共に第１親骨２０より短い第２親骨２１とを有している。第１親骨２０及び第２親骨２１は通常長さの親骨１９とこの通常長さの親骨１９に対して径方向の長さを延長する延長骨２４を有しており、この延長骨２４は第１親骨２０に設けられる第１延長骨２５と第２親骨２１に設けられる第２延長骨２６とを有している。
【００１５】
図２に示すように、第１親骨２０は、支持骨６に連結されて支持骨６の回動により径方向に沿って出退する連動部材２２と、親骨３の先端側に枢着されて連動部材２２の出退動により親骨３の先端側を中心に回動する回動部材２３と、回動部材２３と一体回動可能とされた第１延長骨２５とを有している。
連動部材２２は、細長い金属製の棒または線条である。連動部材２２は、基端側が支持骨６の先端側に枢着されており、先端側が回動部材２３に枢着されている。連動部材２２の基端側は、支持骨６における先端側の枢着位置よりやや軸柄２よりに枢着されている。そのため、支持骨６を回動させると、連動部材２２が径方向に出退する。また、親骨３の中途側には連動部材２２を径方向に沿って出退するように案内する案内部材２７が設けられている。
【００１６】
図６に示すように、回動部材２３は、親骨３の先端側に枢着されて親骨３に対して回動自在とされている。回動部材２３は、親骨３の先端側との枢着位置から離れた位置に連動部材２２の先端が枢着されている。言い換えれば、親骨３と支持骨６と連動部材２２と回動部材２３は平行リンク機構を形成し、支持骨６の回動に連動して回動部材２３を回動可能としている。
回動部材２３には、基端側に基端側の露先カバー１７が取り付けられており、第１延長骨２５が折り畳まれた際に基端側の露先カバー１７が先端側を向き、雨水を誘導可能となっている。
【００１７】
第１延長骨２５は、回動部材２３の回動に合わせて先端側と基端側とを向くように当該回動部材２３に固定されている。第１延長骨２５の先端側には先端側の露先カバー１６が取り付けられており、第１延長骨２５が径方向に伸ばされたときに先端側を向いて雨水を誘導可能となっている。また、先端側の露先カバー１６には傘布７の縁が係止されている。
第１延長骨２５の中途側には、径方向に対して蛇行した衝撃緩和部２８が形成されている。衝撃緩和部２８は、傘布７から第１延長骨２５に加わる張力を蛇行形成された部分で吸収し、第１延長骨２５に加わる張力や衝撃を緩和する。そのため、第１延長骨２５の回動がスムーズに行われる。
【００１８】
図３に示すように、第２親骨２１は、支持骨６に連結されて支持骨６の回動により径方向に沿って出退する連動部材２２と、親骨３の先端側に枢着されて連動部材２２の出退動により親骨３の先端側を中心に回動する回動部材２３と、回動部材２３と一体回動可能とされた第２延長骨２６とを有している。
第２親骨２１は、連動部材２２や回動部材２３については第１親骨２０と同様であるため、説明を省略する。第２親骨２１が第１親骨２０と異なる点は、第１延長骨２５に替えて第２延長骨２６が回動部材２３に固定されている点である。
【００１９】
第２延長骨２６は、第１延長骨２５よりやや短い長さを有しており、中途側には衝撃緩和部２８が形成されていない。第２延長骨２６は、第１延長骨２５と同様に回動部材２３の回動に合わせて先端側と基端側とを向くように回動部材２３に固定されており、先端側には先端側の露先カバー１６が設けられ傘布７の縁が係止されている。
図４（ａ）及び図５（ａ）に示すように、傘１を閉じる際に第１延長骨２５又は第２延長骨２６を折り畳み方向に回動させるには、下ろくろ５を下方移動させると支持骨６が先端側を中心に矢印Ｃの方向に回動する。この支持骨６に枢着された連動部材２２は、支持骨６の先端側に対してやや距離をあけて軸柄２寄りに連結されており、支持骨６が先端を中心に回動すると親骨３の中途側に設けられた案内部材２７に案内されて矢印Ｄの方向（先端に向かう方向）に移動する。
【００２０】
この連動部材２２の先端側に連結された回動部材２３は、連動部材２２の連結箇所から離れた親骨３の先端との枢着部分を中心に回動可能となっている。そのため、連動部材２２が矢印Ｄの方向に移動すると回動部材２３が矢印Ｅの方向に回動する。その結果、回動部材２３に固定された第１延長骨２５又は第２延長骨２６が矢印Ｆの方向に回動して、第１延長骨２５又は第２延長骨２６が折り畳まれる。
図４（ｂ）及び図５（ｂ）に示すように、傘１を開く際には第１延長骨２５又は第２延長骨２６を径方向に沿って伸ばす方向に回動させるには、下ろくろ５を上方移動させて支持骨６を先端側を中心に矢印Ｃ’の方向に回動する。このようにすると、支持骨６に枢着された連動部材２２が矢印Ｄ’の方向（基端に向かう方向）に移動し、連動部材２２と連結した回動部材２３が矢印Ｅ’の方向に回動する。その結果、回動部材２３に固定された第１延長骨２５又は第２延長骨２６が矢印Ｆ’の方向に回動して、第１延長骨２５又は第２延長骨２６が径方向に沿って伸ばされる。
【００２１】
前記第１親骨２０又は第２親骨２１に、支持骨６に連結されて当該支持骨６の回動により径方向に沿って出退する連動部材２２と、親骨３の先端側に枢着されて連動部材２２の出退動により親骨３の先端側を中心に回動する回動部材２３と、回動部材２３と一体回動可能とされた延長骨２４とを設けることにより、下ろくろ５の上下動に連動して、延長骨２４を親骨３の先端から径方向に沿って伸びる方向と軸柄２側に向けて折り畳まれる方向とに切り替え自在に回動させることができ、親骨を揃えてコンパクトに折り畳めるものでありながら開閉操作が容易な傘１を得ることができる。
【００２２】
また、延長骨２４が設けられた第１親骨２０及び第２親骨２１を軸柄２を中心として周方向に少なくとも３本以上設けることにより、複数の親骨３のうち一部の親骨３だけを径方向に長くでき、卵形や楕円形状に開いてからだの後側をカバーすることが可能となる。
さらに、第１親骨２０に設けられる第１延長骨２５には径方向に対して蛇行した衝撃緩和部２８を設けるのが好ましく、これによって傘１を折り畳む際に傘布７から第１延長骨２５に働く張力が吸収され、第２延長骨２６より長く形成された第１延長骨２５であってもスムーズに回動させることが可能となる。
【００２３】
本考案は上記実施形態に限定されるものではなく、考案の本質を変更しない範囲で各部材の形状、構造、材質、組み合わせなどを適宜変更可能である。
例えば、上記実施形態は親骨３が８本の傘１について例示していたが、本考案の傘１は親骨３が８本以外の本数設けられる傘についても利用することができる。
また、上記実施形態においては複数の親骨３のうち３本の親骨３に延長骨２４が設けられたものを例示したが、延長骨２４が設けられた親骨３は３本以外の本数とされていても良い。
【００２４】
さらに、上記実施形態においてはいわゆるジャンプ傘を例示していたが、本考案の傘１は折り畳み傘、こうもり傘、ビニール傘またはビーチパラソルなどにも用いることができる。
【図面の簡単な説明】
【００２５】
【図１】本考案の傘の正面図である。
【図２】図１のＢ−Ｂ線断面図である。
【図３】図１のＡ−Ａ線断面図である。
【図４】図２の点線部分の拡大図である。
【図５】図３の点線部分の拡大図である。
【図６】回動部材の拡大図である。
【符号の説明】
【００２６】
１    傘
２    軸柄
３    親骨
４    上ろくろ
５    下ろくろ
６    支持骨
７    傘布
８    石突き
９    手元部
１０    上はじき
１１    下はじき
１２    上部材
１３    下部材
１４    バネ
１５    子骨
１６    先端側の露先カバー
１７    基端側の露先カバー
１８    枢着部材
１９    通常長さの親骨
２０    第１親骨
２１    第２親骨
２２    連動部材
２３    回動部材
２４    延長骨
２５    第１延長骨
２６    第２延長骨
２７    案内部材
２８    衝撃緩和部
【図１】
0003134045.tif 000003
【図２】
0003134045.tif 000004
【図３】
0003134045.tif 000005
【図４】
0003134045.tif 000006
【図５】
0003134045.tif 000007
【図６】
0003134045.tif 000008